(57)【要約】【課題】既存のレンガ造柱に対して、意匠性や鉛直力に対する耐力を保ちながら水平力に対抗する曲げ耐力の補強を行うことができるレンガ造柱の補強方法を提供する。【解決手段】レンガ造柱１０の左右両側面部の夫々に、複数の接合筋３０を突出させて取り付ける接合筋取付工程と、レンガ造柱１０の左右両側面部１０ａの夫々に沿わせた状態で、接合筋３０の突出部分が埋設される一対の鉄筋コンクリート造柱２０を構築する鉄筋コンクリート造柱構築工程と、を実行する。【選択図】図１
2020105790.tif 000002
【特許請求の範囲】
【請求項１】
既存のレンガ造柱を補強するレンガ造柱補強方法であって、
前記レンガ造柱の左右両側面部の夫々に、複数の接合筋を突出させて取り付ける接合筋取付工程と、
前記レンガ造柱の左右両側面部の夫々に沿わせた状態で、前記接合筋の突出部分が埋設される一対の鉄筋コンクリート造柱を構築する鉄筋コンクリート造柱構築工程と、を実行するレンガ造柱補強方法。
【請求項２】
前記接合筋取付工程において、前記レンガ造柱を左右方向に沿って貫通して両端部が当該レンガ造柱の左右両側面部から突出する複数の貫通式接合筋を前記接合筋として前記レンガ造柱に取り付ける請求項１に記載のレンガ造柱補強方法。
【請求項３】
前記接合筋取付工程において、前記貫通式接合筋の鉛直方向での配置間隔を前記レンガ造柱の左右方向での幅以下に設定する請求項２に記載のレンガ造柱補強方法。
【請求項４】
前記接合筋取付工程において、基端部が前記レンガ造柱の側面部に埋め込まれて先端部が当該側面部から突出する複数の埋込式接合筋を前記接合筋として前記レンガ造柱に取り付けると共に、鉛直方向において、当該埋込式接合筋を前記貫通式接合筋の配置箇所の中間部に配置する請求項３に記載のレンガ造柱補強方法。
【請求項５】
前記接合筋取付工程において、前記レンガ造柱の水平断面において前後に一対の前記貫通式接合筋を配置する請求項２〜４の何れか１項に記載のレンガ造柱補強方法。
【発明の詳細な説明】
【技術分野】
【０００１】
本発明は、既存のレンガ造柱を補強するレンガ造柱補強方法に関する。
【背景技術】
【０００２】
既存のレンガ造建物を歴史的建造物として保存・再生するためには、当該レンガ造建物の耐震補強が必要となる場合がある。このようなレンガ造建物の耐震補強では、既存のレンガ造柱に対して水平力に対抗する曲げ耐力の補強が行われる。
そして、既存のレンガ造柱の補強方法としては、従来、既存のレンガ造柱の周囲全体を新設の鉄筋コンクリート造の枠体で囲うことで当該レンガ造柱を補強する方法が知られている（例えば、特許文献１を参照。）。
また、既存のレンガ造建物の補強方法として、レンガ造の壁体の内部に補強用のＰＣ棒鋼等を埋め込む方法が知られている（例えば、特許文献２を参照。）。
【先行技術文献】
【特許文献】
【０００３】
【特許文献１】特開２００７−０４００２５号公報
【特許文献２】特開平１１−３２４３４１号公報
【発明の概要】
【発明が解決しようとする課題】
【０００４】
しかしながら、上記特許文献１に記載のレンガ造柱の補強方法では、レンガ造柱の外周全体を鉄筋コンクリート造の枠体で囲うため、レンガ造柱の意匠性が損なわれるという問題が生じる。また、この既存のレンガ造柱の補強方法として、例えば上記特許文献２に記載のように、当該レンガ造柱の内部に補強用のＰＣ棒鋼等を埋め込むことが考えられるが、レンガ造柱を構成するレンガ部分の損傷によって鉛直力に対する耐力が低下するため、特に長尺のレンガ造柱に対する曲げ耐力の補強対策には有効ではない場合がある。
この実情に鑑み、本発明の主たる課題は、既存のレンガ造柱に対して、意匠性や鉛直力に対する耐力を保ちながら水平力に対抗する曲げ耐力の補強を行うことができるレンガ造柱の補強方法を提供する点にある。
【課題を解決するための手段】
【０００５】
本発明の第１特徴構成は、既存のレンガ造柱を補強するレンガ造柱補強方法であって、
前記レンガ造柱の左右両側面部の夫々に、複数の接合筋を突出させて取り付ける接合筋取付工程と、
前記レンガ造柱の左右両側面部の夫々に沿わせた状態で、前記接合筋の突出部分が埋設される一対の鉄筋コンクリート造柱を構築する鉄筋コンクリート造柱構築工程と、を実行する点にある。
【０００６】
本構成によれば、既存のレンガ造柱とそのレンガ造柱を左右両側から挟み込んだ状態で構築された一対の鉄筋コンクリート造柱とを、複数の接合筋により一体化させてなる合成構造柱を構築することができる。この合成構造柱の前後方向においては、レンガ造柱の表面が露出されることになるので、意匠性を確保することができる。一方、この合成構造柱の左右方向においては、レンガ造柱とそれを両側から挟み込む一対の鉄筋コンクリート造柱と複数の接合筋の存在と接触面に生じる摩擦力とにより一体性が確保されることになるので、水平力に対抗する曲げ耐力を向上させることができる。また、レンガ造柱に対しては、例えば比較的小さな取付孔が穿孔され、その取付孔に対して例えばレンガよりも高強度のグラウト等の充填材が充填されて接合筋が取り付けられるので、鉛直力に対する耐力低下の要因となるレンガ部分の損傷を抑制することができ、特に長尺のレンガ造柱に対しても有効に曲げ耐力の補強を行うことができる。
従って、本発明により、既存のレンガ造柱に対して、意匠性や鉛直力に対する耐力を保ちながら水平力に対抗する曲げ耐力の補強を行うことができるレンガ造柱の補強方法を提供することができる。
【０００７】
本発明の第２特徴構成は、上記第１特徴構成に加えて、前記接合筋取付工程において、前記レンガ造柱を左右方向に沿って貫通して両端部が当該レンガ造柱の左右両側面部から突出する複数の貫通式接合筋を前記接合筋として前記レンガ造柱に取り付ける点にある。
【０００８】
本構成によれば、レンガ造柱とその左右両側に構築された一対の鉄筋コンクリート造柱とを複数の接合筋により一体化させてなる合成構造柱において、レンガ造柱を貫通して両端部が一対の鉄筋コンクリート造柱に埋設される複数の貫通式接合筋が上記接合筋として設けられることになる。このことで、レンガ造柱の左右幅方向全体において曲げせん断ひび割れの発生を抑制することができる。更に、貫通式接合筋は、基端部がレンガ造柱の側面部に埋め込まれて先端部が当該側面部から突出する埋込式接合筋と比べて抜け難いため、レンガ造柱とコンクリート造柱との一体性を高めて、水平力に対抗する曲げ耐力をより一層向上させることができる。
【０００９】
本発明の第３特徴構成は、上記第２特徴構成に加えて、前記接合筋取付工程において、前記貫通式接合筋の鉛直方向での配置間隔を前記レンガ造柱の左右方向での幅以下に設定する点にある。
【００１０】
レンガ造柱とその左右両側に構築された一対の鉄筋コンクリート造柱とを複数の貫通式接合筋により一体化させてなる合成構造柱において、貫通式接合筋の鉛直方向での配置間隔がレンガ造柱の左右方向での幅以下となる。このことで、レンガ造柱の中心軸に対して斜め４５度方向に延びる曲げせん断ひび割れの発生を当該レンガ造柱の幅以下の配置間隔で配置された貫通式接合筋により好適に防止することができる。
【００１１】
本発明の第４特徴構成は、上記第３特徴構成に加えて、前記接合筋取付工程において、基端部が前記レンガ造柱の側面部に埋め込まれて先端部が当該側面部から突出する複数の埋込式接合筋を前記接合筋として前記レンガ造柱に取り付けると共に、鉛直方向において、当該埋込式接合筋を前記貫通式接合筋の配置箇所の中間部に配置する点にある。
【００１２】
本構成によれば、レンガ造柱とその左右両側に構築された一対の鉄筋コンクリート造柱とを複数の貫通式接合筋及び複数の埋込式接合筋により一体化させてなる合成構造柱において、鉛直方向に沿って、貫通式接合筋がレンガ造柱の左右方向での幅以下の配置間隔で配置され、それらの配置箇所の中間部に埋込式接合筋が配置されることになる。このことで、レンガ造柱とコンクリート造柱との一体性を高めて、水平力に対抗する曲げ耐力をより一層向上させることができる。
【００１３】
本発明の第５特徴構成は、上記第２特徴構成乃至上記第４特徴構成の何れかに加えて、前記接合筋取付工程において、前記レンガ造柱の水平断面において前後に一対の前記貫通式接合筋を配置する点にある。
【００１４】
本構成によれば、レンガ造柱とその左右両側に構築された一対の鉄筋コンクリート造柱とを複数の貫通式接合筋により一体化させてなる合成構造柱において、レンガ造柱の水平断面において前後に一対の貫通式接合筋が配置されているので、当該前後夫々において一対の貫通式接合筋をせん断補強筋として機能させて上記合成構造柱のせん断耐力を向上させることができる。
【図面の簡単な説明】
【００１５】
【図１】本実施形態のレンガ造柱補強方法により補強されたレンガ造柱の立面図
【図２】図１に示すレンガ造柱の拡大立断面図
【図３】図１に示すレンガ造柱の第１接合筋配置箇所における平断面図
【図４】図１に示すレンガ造柱の第２接合筋配置箇所における平断面図
【図５】レンガ造柱に対する接合筋の取付方法を説明する説明図
【図６】図５の取付方法で取り付けられた接合筋の状態を示す図
【発明を実施するための形態】
【００１６】
本発明に係るレンガ造柱補強方法の実施形態について図面に基づいて説明する。
本実施形態のレンガ造柱補強方法は、既存のレンガ造建物を歴史的建造物として保存・再生するために、レンガ造建物に設けられた既存のレンガ造柱１０（図１〜４を参照。）に対して水平力に対抗する曲げ耐力の補強を施すことで、レンガ造建物の耐震補強を行うものとして構成されている。
【００１７】
尚、本実施形態において、レンガ造柱１０の断面形状は、図３及び図４に示すように、平面視において左右に長尺な長方形形状とされており、そのレンガ造柱１０が地震時等に負担すべき水平力は、そのレンガ造柱１０の配置状態やそれで支持される梁や床等の構造上、長方形断面における長手方向（図１〜図３における左右方向）に沿った力とされている。
【００１８】
レンガ造柱１０は、図１に示すように、所定幅の目地部分１３を設けながら複数のレンガ１１を積み重ねて構成された一般的な柱として構成されている。従って、このレンガ造柱１０には、鉛直方向においてレンガ１１の厚みよりも若干広いピッチで目地部分１３が配置されている。
【００１９】
本実施形態のレンガ造柱補強方法は、詳細については後述するが、接合筋取付工程と鉄筋コンクリート造柱構築工程とを順に実行するものとして構成されている。
詳しくは、図１〜図４を参照して、接合筋取付工程では、レンガ造柱１０の左右両側面部１０ａの夫々に複数の接合筋３０を突出させて取り付ける。その後に実行される鉄筋コンクリート造柱構築工程では、レンガ造柱１０の左右両側面部１０ａの夫々に沿わせた状態で、接合筋３０の突出部分３０ａが埋設される一対の鉄筋コンクリート造柱２０を構築する。
【００２０】
このようなレンガ造柱補強方法の各工程を実行することで、既存のレンガ造柱１０とそのレンガ造柱１０を左右両側から挟み込んだ状態で構築された一対の鉄筋コンクリート造柱２０とを複数の接合筋３０により一体化させてなる合成構造柱５０が構築されることになる。そして、このような合成構造柱５０を構築することで、既存のレンガ造柱１０に対して、意匠性や鉛直力に対する耐力を保ちながら水平力に対抗する曲げ耐力の補強を行うことができる。
【００２１】
即ち、合成構造柱５０の前後方向（図１及び図２における奥行き方向、図３及び図４における上下方向）においては、レンガ造柱１０の表面が露出されて、意匠性が確保された状態となる。
一方、合成構造柱５０の左右方向（図１から図４における左右方向）においては、レンガ造柱１０の左右両側面部１０ａとそのレンガ造柱１０を両側から挟み込む一対の鉄筋コンクリート造柱２０の内面部２０ａとを接触させた状態で、複数の接合筋３０によりレンガ造柱１０と鉄筋コンクリート造柱２０とが一体化されている。よって、合成構造柱５０に対して左右方向の水平力が作用した場合には、レンガ造柱１０の左右両側面部１０ａとの鉄筋コンクリート造柱２０の内面部２０ａとの接触面に摩擦力が生じて、レンガ造柱１０とコンクリート造柱２０との一体性が確保され、当該水平力に対抗する曲げ耐力が向上されることになる。
以下、接合筋取付工程及び鉄筋コンクリート造柱構築工程の詳細について順に説明を加える。
【００２２】
〔接合筋取付工程〕
図１及び図２を参照して、先ず、レンガ造柱１０の左右両側面部１０ａの夫々に複数の接合筋３０を突出させて取り付ける接合筋取付工程が実行される。この接合筋取付工程では、レンガ造柱１０の左右両側面部１０ａに対して例えば比較的小さな取付孔１４を穿孔してその取付孔１４に接合筋３０を取り付けるので、鉛直力に対する耐力低下の要因となるレンガ１１部分の損傷が抑制されている。更に、取付孔１４は、レンガ造柱１０の目地部分１３に穿設される。このことで、レンガ１１部分の損傷が一層確実に回避され、当該レンガ１１部分の損傷に起因する鉛直力に対する耐力低下が一層抑制されている。
上記接合筋３０としては、複数の貫通式接合筋３１と複数の埋込式接合筋３２とが適宜配置される。
【００２３】
上記貫通式接合筋３１は、図３に示すように、レンガ造柱１０を左右方向に沿って貫通して両端部が当該レンガ造柱１０の左右両側面部１０ａから突出するものとしてレンガ造柱１０に設けられる。即ち、レンガ造柱１０には、左右方向に沿って貫通する状態で貫通式接合筋取付孔１５が穿孔される。次に、その貫通式接合筋取付孔１５に貫通式接合筋３１の中央部である埋込部分３０ｂが挿入されて、その隙間に充填されたグラウト材などの充填材６０（図６参照）により、貫通式接合筋３１が貫通式接合筋取付孔１５に固定される。そして、このように固定された貫通式接合筋３１の両端部が、当該レンガ造柱１０の左右両側面部１０ａから突出する突出部分３０ａとなる。また、この貫通式接合筋３１の突出部分３０ａについては、図３に示すように、水平方向に内側に折り曲げられて、後に構築される鉄筋コンクリート造柱２０の内部に設けられる主筋に引っ掛けられている。
【００２４】
また、貫通式接合筋３１を固定するための充填材６０の充填方法については、図５に示すように、貫通式接合筋３１が挿入された貫通式接合筋取付孔１５の左右両端の開口部を封止栓６１で封止し、一方側の封止栓６１に差し込んだ注入管６２で充填材６０を注入しながら、他方側の封止栓６１に差し込んだ通気管６３で排気を行う形態で行われる。
【００２５】
このような貫通式接合筋３１が設けられることで、レンガ造柱１０の左右幅方向全体において曲げせん断ひび割れの発生が抑制されている。更に、このような貫通式接合筋３１は、レンガ造柱１０から抜け難くなるために、レンガ造柱１０と後に構築されるコンクリート造柱との一体性が高まって、水平力に対抗する曲げ耐力がより一層向上される。
【００２６】
上記埋込式接合筋３２は、図３及び図４に示すように、基端部が前記レンガ造柱１０の側面部１０ａに埋め込まれて先端部が当該側面部１０ａから突出するものとしてレンガ造柱１０に設けられる。即ち、レンガ造柱１０の左右両側面部１０ａの夫々には、左右方向に沿って所定の深さまでの非貫通の状態で埋込式接合筋取付孔１６が穿孔される。次に、その埋込式接合筋取付孔１６に埋込式接合筋３２の基端部である埋込部分３０ｂが挿入されて、その隙間に充填されたグラウト材などの充填材６０（図６参照）により、埋込式接合筋３２が埋込式接合筋取付孔１６に固定される。そして、このように固定された埋込式接合筋３２の先端部が、当該レンガ造柱１０の左右両側面部１０ａから突出する突出部分３０ａとなる。また、この埋込式接合筋３２の突出部分３０ａについては、図２に示すように、後に構築される鉄筋コンクリート造柱２０に対する抜け止め効果を発揮するべくＵ字状に折り返した形状とされている。
【００２７】
また、埋込式接合筋３２を固定するための充填材６０の充填方法については、図５に示すように、埋込式接合筋３２が挿入された埋込式接合筋取付孔１６の開口部を封止栓６１で封止し、封止栓６１の下方側から埋込式接合筋取付孔１６の奥まで差し込んだ注入管６２で充填材６０を注入しながら、封止栓６１の上方側に差し込んだ通気管６３で排気を行う形態で行われる。
【００２８】
図１に示すように、レンガ造柱１０の左右両側面部１０ａにおいて、鉛直方向に沿った上記接合筋３０の配置間隔は、レンガ造柱１０の左右幅の半分以下に設定されており、本実施形態では、接合筋３０の数をできるだけ少なくするために、上記接合筋３０の配置間隔は、レンガ造柱１０の左右幅の略半分に設定されている。
【００２９】
更に、鉛直方向に沿った接合筋３０の各配置箇所としては、上記貫通式接合筋３１と上記埋込式接合筋３２との両方が設けられた第１配置箇所Ｐ１と、上記埋込式接合筋３２のみが設けられた第２配置箇所Ｐ２とが等間隔で交互に配置されている。
即ち、鉛直方向において、貫通式接合筋３１の配置箇所である第１配置箇所Ｐ１の配置間隔は、レンガ造柱１０の左右方向での幅以下好ましくは当該幅と略同等に設定されている。更に、埋込式接合筋３２の配置箇所である第２配置箇所Ｐ２は、貫通式接合筋３１の配置箇所である第１配置箇所Ｐ１の中間部に位置することになる。
【００３０】
更に、図３に示すように、第１配置箇所Ｐ１における水平断面では、レンガ造柱１０の前後に一対の貫通式接合筋３１が配置され、その中間部に１つの埋込式接合筋３２が配置される。
一方、図４に示すように、第２配置箇所Ｐ２における水平断面では、レンガ造柱１０の前後方向に沿って３つの埋込式接合筋３２が等間隔で並列配置される。
【００３１】
〔鉄筋コンクリート造柱構築工程〕
図１及び図２を参照して、上記接合筋取付工程の実行後に、レンガ造柱１０の左右両側面部１０ａの夫々に沿わせた状態で、接合筋３０の突出部分３０ａが埋設される一対の鉄筋コンクリート造柱２０を構築する鉄筋コンクリート造柱構築工程が実行される。この鉄筋コンクリート造柱構築工程で構築される一対の鉄筋コンクリート造柱２０の夫々は、レンガ造柱１０の左右両側面１０ａ以外に３面を型枠で囲んだ空間に構造用鉄筋２１を配筋した上でコンクリートを打設して施工される。よって、一対の鉄筋コンクリート造柱２０の夫々は、レンガ造柱１０の左右両側面部１０ａに密着した状態で設けられ、内部に主筋及び帯筋からなる構造用鉄筋２１が配筋された鉄筋コンクリート製の柱状体として構築される。
また、鉄筋コンクリート造柱２０は、図１に示すようにレンガ造柱１０と同じ高さ有すると共に、図３及び図４に示すように長手方向となる前後方向の厚みがレンガ造柱１０と同じ長方形の断面形状を有するものとして構成されている。
このような鉄筋コンクリート造柱構築工程が実行されて、一対の鉄筋コンクリート造柱２０がレンガ造柱１０の左右両側面部１０ａの夫々に沿わせた状態で構築されることで、レンガ造柱１０とそのレンガ造柱１０を左右両側から挟み込んだ状態で構築された一対の鉄筋コンクリート造柱２０とを複数の接合筋３０により一体化させてなる合成構造柱５０が完成する。
【００３２】
そして、図１に示すように、このように構築された合成構造柱５０では、上述したとおり、貫通式接合筋３１が設けられた第１配置箇所Ｐ１の鉛直方向での配置間隔がレンガ造柱１０の左右方向での幅以下好ましくは当該幅と略同等となる。このことで、レンガ造柱１０の中心軸に対して斜め４５度方向に延びる曲げせん断ひび割れの発生が当該レンガ造柱１０の幅以下好ましくは当該幅と略同等の配置間隔で配置された貫通式接合筋３１により好適に防止されることになる。
更に、鉛直方向において、埋込式接合筋３２の配置箇所である第２配置箇所Ｐ２は、貫通式接合筋３１の配置箇所である第１配置箇所Ｐ１の中間部に位置することになる。このことで、レンガ造柱１０とコンクリート造柱との一体性が高められて、水平力に対抗する曲げ耐力がより一層向上されることになる。
【００３３】
また、図３に示すように、第１配置箇所Ｐ１では、上述したとおり、レンガ造柱１０の水平断面において前後に一対の貫通式接合筋３１が配置されている。このことで、レンガ造柱１０とその左右両側に構築された一対の鉄筋コンクリート造柱２０とを複数の貫通式接合筋３１により一体化させてなる合成構造柱５０において、前後夫々に配置された一対の貫通式接合筋３１がせん断補強筋として機能して、合成構造柱５０のせん断耐力が向上されることになる。
【００３４】
〔別実施形態〕
本発明の他の実施形態について説明する。尚、以下に説明する各実施形態の構成は、それぞれ単独で適用することに限らず、他の実施形態の構成と組み合わせて適用することも可能である。
【００３５】
（１）上記実施形態では、接合筋取付工程において、接合筋３０が取り付けられる取付孔１４をレンガ造柱１０の目地部分１３に穿設するように構成したが、レンガ１１部分の損傷を許容できる場合には、当該レンガ１１部分に取付孔１４を穿設しても構わない。
【００３６】
（２）上記実施形態において、鉛直方向及び水平方向における貫通式接合筋３１及び埋込式接合筋３２の配置箇所や配置間隔については適宜変更可能である。
【００３７】
（３）上記実施形態では、レンガ造柱１０に穿孔した取付孔１５，１６に対して、接合筋３１，３２を挿入した後に充填材６０を充填したが、例えば硬練りのグラウト材などの充填材を充填しておいて、後から接合筋３１，３２を差し込んでも構わない。
【符号の説明】
【００３８】
１０      レンガ造柱
１０ａ    側面部
１０ａ    左右両側面部
１１      レンガ
１３      目地部分
１４      取付孔
１５      貫通式接合筋取付孔（取付孔）
１６      埋込式接合筋取付孔（取付孔）
２０      鉄筋コンクリート造柱
３０      接合筋
３０ａ    突出部分
３０ｂ    埋込部分
３１      貫通式接合筋（接合筋）
３２      埋込式接合筋（接合筋）
Ｐ１      第１配置箇所
Ｐ２      第２配置箇所
【図１】
2020105790.tif 000003
【図２】
2020105790.tif 000004
【図３】
2020105790.tif 000005
【図４】
2020105790.tif 000006
【図５】
2020105790.tif 000007
【図６】
2020105790.tif 000008